(57)【要約】【課題】電力量の検針作業に際して、作業場所にかかわらず当該作業を滞りなくおこなうことができるように、電力量の検針作業を支援すること。【解決手段】被服者の上半身および下半身の少なくとも一方を覆う被服部１１１と、発泡材料を用いて形成され、所定の引っ張り力が加わった場合に被服部１１１から脱離するように、被服部１１１に取り外し可能に取り付けられる防護部１１２と、を備えた防護服１１０、１２０を構成した。これにより、防護服１１０、１２０を着用した作業者７１０が犬７２０に噛まれた場合に、犬７２０の口に防護部１１２を残した状態で、当該犬７２０から離れることができる。【選択図】図７−３
2010196218.tif 000002
【特許請求の範囲】
【請求項１】
被服者の上半身および下半身の少なくとも一方を覆う被服部と、
発泡材料を用いて形成され、所定の引っ張り力が加わった場合に前記被服部から脱離するように、前記被服部に取り外し可能に取り付けられる防護部と、
を備えたことを特徴とする防護服。
【請求項２】
前記防護部は、
高圧気体が充填され、密閉可能な可搬性の容器を保持する密閉容器保持部材と、
充填された気体を保持する気体保持部材と、
前記防護部が前記被服部から脱離した場合に前記容器から前記気体保持部へ気体が流入するように前記容器と前記気体保持部とを接続する接続部材と、
を備えたことを特徴とする請求項１に記載の防護服。
【発明の詳細な説明】
【技術分野】
【０００１】
この発明は、電力量の検針作業など、噛みつくことが危惧される犬がいる敷地内で作業をおこなう際に着用される防護服に関する。
【背景技術】
【０００２】
従来、電力量の検針作業は、検針対象となる電力量計が設置されている施設あるいは敷地内に入り、電力量計が表示する数値を目視により確認することによりおこなっていた。電力量計が設置されている敷地内あるいはその周辺に犬が飼育されている場合、電力量の検針作業に際して犬に噛まれ、検針作業をおこなう作業者（検針員）が怪我をするというトラブルが発生することがあった。
【０００３】
噛みついた犬は、検針対象となる電力量計が設置されている施設、すなわち電力供給側に対する顧客の住宅で飼われている犬であることが多い。近年、犬を家族として人間と同様に扱っている愛犬家も多く見られ、顧客との良好な関係を維持するためには、犬に噛まれた場合にも、噛みついている犬を叩いて口を開けさせるなどの暴力的な行為は好ましくない。同様の理由から、顧客である飼い主の承諾なく犬にエサを与えて、犬の注意を逸らしている間に検針をおこなうという方法も好ましくない。
【０００４】
このように、危害を加える生体に対する直接的な対策は難しい場合に、生体によって加えられる外的要因による怪我を防止する技術として、従来、たとえば蜂の毒針が貫通できない厚みのある生地を縫製してなる蜂防護服において、生地として一体に編成した立体メッシュ生地を用いるようにした技術があった（たとえば、下記特許文献１を参照。）。
【先行技術文献】
【特許文献】
【０００５】
【特許文献１】特開２００２−３３９１２０号公報
【発明の概要】
【発明が解決しようとする課題】
【０００６】
しかしながら、上述した従来の技術では、犬に噛みつかれるなど危害を加える生体に対する直接的な対策ではなく、一旦噛みつかれた場合は犬が口を開けるまで待つしかない。また、噛まれた場合に怪我をするような犬の牙は蜂の針よりも長いことが想定される上、上顎と下顎とで圧迫するように噛みつくため、上述した先行文献に記載された技術では、犬に噛まれることによって怪我をすることを回避しきれないことが想定される。
【０００７】
このため、従来、噛みつかれた検針作業をおこなう作業者は、犬が口を離すまでつぎの作業ができなかったり、つぎの施設に移動できなかったりして、作業を効率よくおこなうことができないという問題があった。
【０００８】
この対策として、たとえば顧客に事前に検針の予定を連絡し、検針の間だけ顧客に犬を押さえてもらう方法が考えられるが、このような方法では、犬を押さえる時間は非常に短時間であっても、顧客および検針作業をおこなう作業者の双方の予定を拘束することになるため好ましくない。また、検針対象となる顧客に事前に検針の予定を連絡した場合にも、実際の検針時に在宅しているとは限らず、この場合は検針ができないという問題がある。
【０００９】
また、留守がちであるために防犯を目的として犬を飼っていることも多く、このような住宅においては、検針作業の事前に顧客に連絡したくても当該顧客と連絡が取れなかったり、連絡をしても実際の検針時に不在であったりすることも十分に想定される。このため、検針の間だけ顧客に犬を押さえてもらう方法は、顧客と検針作業をおこなう作業者の双方の予定があうまでに時間が経ってしまったり、検針作業をおこなう作業者が土曜日や日曜日などの休日に検針をおこなったりすることで対応しなくてはならないこともあり、検針作業を効率よく進めることができないという問題があった。
【００１０】
このような背景から、検針作業をおこなう作業者は、たとえば長袖、長ズボン、長靴などを着用して肌の露出を抑える格好をするなど、独自に対策を施すことによって、万一、犬に噛まれた場合にも身体に対する被害が小さくなるように努めているのが現状であり、犬に噛まれるかもしれないという精神的な負担からは開放されていないという問題があった。
【００１１】
また、犬に噛まれた場合の対策を、長袖、長ズボン、長靴などの着衣によっておこなう場合、季節や天候にかかわらず肌の露出を抑える衣服を着装しなくてはならないため、夏場の炎天下などに検針作業をおこなう場合には作業者の疲労が大きくなってしまうという問題があった。さらに、噛みつく犬に対する対策は、最終的にはおのおのの検針作業をおこなう作業者の判断に任されているのが現状であり、検針作業をおこなう作業者全員の安全が確保されているわけではないという問題があった。
【００１２】
この発明は、上述した従来技術による問題点を解消するため、電力量の検針作業に際して、作業場所にかかわらず当該作業を滞りなくおこなうことができるように、電力量の検針作業を支援することができる防護服を提供することを目的とする。
【課題を解決するための手段】
【００１３】
上述した課題を解決し、目的を達成するため、この発明にかかる防護服は、被服者の上半身および下半身の少なくとも一方を覆う被服部と、発泡材料を用いて形成され、所定の引っ張り力が加わった場合に前記被服部から脱離するように、前記被服部に取り外し可能に取り付けられる防護部と、を備えたことを特徴とする。
【００１４】
この発明によれば、電力量の検針作業に際して、検針作業をおこなう作業者が防護服を着用することにより、当該作業者が犬に噛まれた場合に、犬の口に防護部を残した状態で、当該犬から離れることができる。これによって、犬に噛まれること、あるいは、犬に噛まれることを回避するために、電力量の検針作業が滞ることを防止できる。
【００１５】
また、この発明にかかる防護服は、上記の発明において、前記防護部が、高圧気体が充填され、密閉可能な可搬性の容器を保持する密閉容器保持部材と、充填された気体を保持する気体保持部材と、前記防護部が前記被服部から脱離した場合に前記容器から前記気体保持部へ気体が流入するように前記容器と前記気体保持部とを接続する接続部材と、を備えたことを特徴とする。
【００１６】
この発明によれば、検針作業をおこなう作業者が犬に噛まれ、犬の口に防護部を残した状態で当該犬から離れると、容器に充填された気体が気体保持部に充填され、気体保持部を膨らませることができる。これによって、作業者を噛んだ犬の関心を防護部に引き付け、当該犬の作業者に対する関心を逸らすことができる。
【発明の効果】
【００１７】
この発明にかかる防護服によれば、電力量の検針作業に際して、作業場所にかかわらず当該作業を滞りなくおこなうことができるように、電力量の検針作業を支援することができるという効果を奏する。
【図面の簡単な説明】
【００１８】
【図１−１】この発明にかかる実施の形態の防護服を示す説明図（その１）である。
【図１−２】この発明にかかる実施の形態の防護服を示す説明図（その２）である。
【図２】この発明にかかる実施の形態の防護服が備える防護部を示す説明図（その１）である。
【図３】この発明にかかる実施の形態の防護服が備える防護部を示す説明図（その２）である。
【図４】この発明にかかる実施の形態の防護服が備える防護部を示す説明図（その３）である。
【図５−１】この発明にかかる実施の形態の防護服が備える防護部を示す説明図（その４）である。
【図５−２】この発明にかかる実施の形態の防護服が備える防護部を示す説明図（その５）である。
【図６】この発明にかかる実施の形態の防護服が備える防護部を示す説明図（その６）である。
【図７−１】この発明にかかる実施の形態の防護服の活用例を示す説明図（その１）である。
【図７−２】この発明にかかる実施の形態の防護服の活用例を示す説明図（その２）である。
【図７−３】この発明にかかる実施の形態の防護服の活用例を示す説明図（その３）である。
【図７−４】この発明にかかる実施の形態の防護服の活用例を示す説明図（その４）である。
【図８】この発明にかかる実施の形態の防護服が備える防護部の別の構成を示す説明図である。
【発明を実施するための形態】
【００１９】
以下に添付図面を参照して、この発明にかかる防護服の好適な実施の形態を詳細に説明する。
【００２０】
（実施の形態）
まず、この発明にかかる実施の形態の防護服について説明する。図１−１および図１−２は、この発明にかかる実施の形態の防護服を示す説明図である。図１−１および図１−２において、この発明にかかる実施の形態の防護服１１０、１２０は、被服部１１１と防護部１１２とを備えており、外見上は通常の衣服（上半身に着る衣服、あるいは、下半身にはく衣服）と同じ体裁をなしている。
【００２１】
被服部１１１は、防護服１１０、１２０の着用者（以下「被服者」という）の上半身および下半身の少なくとも一方を覆うことができる形状をなしている。また、被服部１１１は、たとえば綿あるいは各種化繊など通常の衣服の形成に用いる素材を用いて形成されている。さらに、被服部１１１は、メッシュ状の生地などのように、通気性が良好な素材を用いて形成されていることが好ましい。
【００２２】
被服者の上半身を覆う被服部１１１は、たとえば身頃や袖からなるジャケット状あるいはトレーナー状とされている。被服者の上半身を覆う被服部１１１をジャケット状やトレーナー状とする場合、身幅は、通常の検針時において着用している作業着の上着の上から重ねて着用することができるように着丈に対して太めの寸法であることが好ましい。
【００２３】
また、被服者の上半身を覆う被服部１１１をジャケット状やトレーナー状とする場合、袖幅は、通常の検針時において着用している作業着の上着の上から重ねて着用することができるように袖の長さに対して太めの寸法であることが好ましい。
【００２４】
被服者の上半身を覆う被服部１１１を、通気性が良好な素材を用いて形成することにより、夏場の炎天下など気温が高い時期に、作業着の上着の上から防護服１１０を重ねて着用して検針作業をおこなう場合に、検針作業をおこなう作業者が暑苦しさや息苦しさを感じることを抑え、また汗などによる湿気が防護服１１０内にこもったり、検針作業をおこなう作業者の体温が急激に上昇することを抑えることができる。これによって、検針作業に際しての作業性を低下させることなく、検針作業をおこなう作業者の安全性を確保することができる。
【００２５】
被服者の下半身を覆う被服部１１１は、たとえば長ズボン状とされている。被服者の下半身を覆う被服部１１１は、被服者の足首やふくらはぎなど、犬が噛みつきやすい部分を覆うことができる形状であることが好ましい。被服者の下半身を覆う被服部１１１は、長ズボン状に限るものではなく、たとえばレッグウォーマー状としてもよい。
【００２６】
被服者の下半身を覆う被服部１１１を長ズボン状とする場合、渡り幅は、通常の検針時において着用しているズボンの上から重ねて着用することができるように股下丈に対して太めの寸法であることが好ましい。被服者の下半身を覆う被服部１１１をレッグウォーマー状とする場合、通常の検針時において着用しているズボンの上から重ねて着用することができるように伸縮性を有する構成であることが好ましい。
【００２７】
被服者の下半身を覆う被服部１１１を、通気性が良好な素材を用いて形成することにより、夏場の炎天下など気温が高い時期に、作業着のズボンの上から防護服１２０を重ねて着用して検針作業をおこなう場合に、検針作業をおこなう作業者が暑苦しさや息苦しさを感じることを抑え、また汗などによる湿気が防護服１２０内にこもったり、検針作業をおこなう作業者の体温が急激に上昇することを抑えることができる。これによって、検針作業に際しての作業性を低下させることなく、検針作業をおこなう作業者の安全性を確保することができる。
【００２８】
つぎに、防護部１１２について説明する。防護部１１２は、ブロック部材（図２における符号２０１を参照）を備えている。ブロック部材は、発泡材料を用いて、箱形状をなすように形成されている。発泡材料は、内部に小さな気泡を多数備えた合成樹脂材料を発泡成形した部材など、体積に対して軽量な部材とすることができる。発泡成形は、成形時に樹脂材料に発泡剤を混入させるなどによって気泡を混ぜた柔らかい樹脂を成形する方法であり、一般的な射出成形や押し出し成形においておこなうことができる。
【００２９】
ブロック部材は、具体的には、たとえば発泡スチロールを用いることができる。より具体的には、ブロック部材は、たとえば発砲スチロールとして有名なＰＳ（ポリスチレン）を用いることができる。また、ブロック部材は、具体的には、たとえばＰＰ（ポリプロピレン）、ＰＵＲ（ウレタン）の他、ＰＥ（ポリエチレン）などを用いることができる。
【００３０】
ＰＳやＰＰは、熱可塑性樹脂の１つであり、安価に入手することができる。ＰＰは、熱可塑性に加え、強度が高く、耐薬品性に優れている。ＰＰはリサイクルの容易性に優れているため、ＰＰを用いてブロック部材を形成することにより、環境にかける負荷を小さくすることができる。ＰＵＲは、熱硬化性樹脂のひとつであり、耐水性、難磨耗性に優れている。ＰＥは、熱可塑性樹脂のひとつであり、良好な電気絶縁性を有している。
【００３１】
また、ブロック部材は、具体的には、たとえばフォームラバーを用いることができる。フォームラバーは、ゴム樹液のラテックス（ｌａｔｅｘ）を加熱、発泡、成形した海綿状の充填材であり、広く知られている。ラテックスは、水中にポリマーの微粒子が安定に分散した系（エマルジョン）であり、自然界に存在する乳状の樹液や、界面活性剤で乳化させたモノマーを重合することによっても得ることができる。
【００３２】
防護部１１２は、犬が噛みつきやすい部分に設けられていることが好ましい。被服部１１１においては、たとえば袖や股下部分（すね部分）などのように幅が細くなっている部分が犬に噛みつかれやすいと考えられ、この見地にしたがえば防護部１１２は細くなっている部分に設けることが好ましい。防護部１１２を、腕や足のすね部分に設ける場合、外側や後ろ側となる位置に設けることが好ましい。また、被服部１１１においては、たとえば袖口や裾などの端部分が犬に噛みつかれやすいと考えられ、この見地にしたがえば防護部１１２は端部分に設けることが好ましい。
【００３３】
防護部１１２は、被服部１１１全体に設けられていることが好ましいが、発泡した樹脂材料を用いて形成されたブロック部材を被服部１１１全体に設けることにより、汗などの湿気が外部に逃げにくくなる。これにより、たとえば真夏の猛暑時に着用する場合、被服者が汗ばんだり、息苦しくなったりすることが危惧される。
【００３４】
この実施の形態によれば、被服部１１１における腕や足のすね部分であって、かつ、外側や後ろ側となる位置に防護部１１２を設けることにより、検針作業をおこなう作業者に息苦しさや暑苦しさを感じさせたり、このような不快感から検針作業の作業性を低下させたりすることを防止することができる。
【００３５】
つぎに、防護部１１２について詳細に説明する。図２、図３、図４、図５−１、図５−２および図６は、この発明にかかる実施の形態の防護服１１０、１２０が備える防護部１１２を示す説明図である。図２、図３、図４、図５−１および図５−２において防護部１１２は、上記のブロック部材２０１と膨張部２０２とによって構成されている。ブロック部材２０１は、膨張部２０２を収容可能な凹部２０１ａを備えており、膨張部２０２は粘着剤などを用いて凹部２０１ａの底面に取り付けられている。
【００３６】
ブロック部材２０１には、マジックテープ（登録商標）やベルクロテープ（登録商標）などの名称で知られている面ファスナー２０３が設けられている。ブロック部材２０１に設けられた面ファスナー２０３は、被服部１１１に押しつけられることによって、ブロック部材２０１を被服部１１１に固定する。ブロック部材２０１は、ブロック部材２０１を被服部１１１から引き離す方向への外力が加えられた場合に、被服部１１１から脱離可能とされている。
【００３７】
面ファスナー２０３は、一般的に、フック状に起毛された部材（面）とループ状に密集して起毛された部材（面）とを押し付けることによって貼り付くように構成されており、貼り付けたり剥がしたりを繰り返しておこなうことが可能とされている。この実施の形態の防護服１１０、１２０においては、たとえば面ファスナー２０３においてフック状に起毛された部材（面）をブロック部材２０１に設け、ループ状に密集して起毛された部材（面）を被服部１１１に設けることによってブロック部材２０１を被服部１１１に固定する構成とされている。
【００３８】
また、この実施の形態の防護服１１０、１２０においては、たとえば面ファスナー２０３においてループ状に密集して起毛された部材（面）をブロック部材２０１に設け、フック状に起毛された部材（面）を被服部１１１に設けることによってブロック部材２０１を被服部１１１に固定する構成としてもよい。あるいは、面ファスナー２０３においてフック状に起毛された部材（面）をブロック部材２０１に設け、フック状に起毛された部材（面）を被服部１１１に直接押しつけることによってブロック部材２０１を被服部１１１に固定する構成としてもよい。
【００３９】
面ファスナー２０３は、フック状に起毛された部材（面）とループ状に密集して起毛された部材（面）とを押し付ける構造に限るものではない。具体的には、たとえばフック状の起毛とループ状の起毛との両方が植え込まれた一対の部材（面）によって構成され、フック面とループ面との区別のないものであってもよい。また、具体的には、たとえばマッシュルーム状に起毛されていて結合力が強いクリックタイプや、鋸歯状のシャークバイト（鮫歯）タイプなどであってもよい。面ファスナー２０３については公知の技術であるため説明を省略する。
【００４０】
膨張部２０２は、ボンベ２０５とエアバッグ２０４とを備えている。ボンベ２０５は、カートリッジ式であって、耐圧容器と耐圧容器における開口部分を塞ぐ封板とによって形成される密閉空間内に圧縮した状態の気体を保持している。密閉空間内に充填された気体は、たとえば空気や炭酸ガスなど、人間や犬などの生体に対して無害なものとする。カートリッジ式のボンベ２０５については、公知の技術であるため説明を省略する。
【００４１】
この実施の形態においては、ボンベ２０５によって、密閉可能な可搬性の容器を実現することができる。膨張部２０２は、カートリッジ式のボンベ２０５を備えたものに限らない。高圧気体の充填が可能であって密閉が可能な容器であれば、カートリッジ式のボンベ２０５に代えて用いることができる。
【００４２】
エアバッグ２０４は、密閉された袋形状をなし、ボンベ２０５に連結されている。エアバッグ２０４は、充填された気体を保持することができる程度に密閉された空間を形成する。この実施の形態においては、エアバッグ２０４によって気体保持部材を実現することができる。
【００４３】
エアバッグ２０４は、塩化ビニルなどのように、折り畳むなどの形状変化に耐えうる柔軟性を有する材料を用いて形成されている。これにより、体積を小さくし、凹部２０１ａに収容することができる。エアバッグ２０４を形成する材料は、犬が噛みつくなど、外部から局部的に外力が加えられた場合にも容易に破ける（破裂する）ことがない程度の強度を有していることが好ましい。
【００４４】
あるいは、エアバッグ２０４は、気体が充填されて所定の形状をなした状態で、犬が噛みつくなど、外部から局部的に外力が加えられた場合には、外力が加えられた部分を変形させ加えられた外力を拡散させることができる程度の柔軟性や弾力を有する材料によって形成してもよい。
【００４５】
具体的には、たとえばゴム材料を用いてエアバッグ２０４を形成することにより、犬に噛みつかれた場合にはつぶれるようにしてエアバッグ２０４を変形させることができる。これによって、犬に噛みつかれた場合に、エアバッグ２０４が容易に破裂することを防止することができる。
【００４６】
また、エアバッグ２０４は、ボンベ２０５から気体が充填されて膨らんだ場合に所定の形状をなすように形成されている。エアバッグ２０４は、ボンベ２０５から気体が充填されて膨らんだ場合に、たとえば、太めの棒形状や円柱形状や球形状などの立体的な形状をなすように形成されている。
【００４７】
また、エアバッグ２０４は、ボンベ２０５から気体が充填されて膨らんだ場合に、たとえば犬や馬などのように、何らかの動物に似せた立体的な形状をなすように形成されていてもよい。エアバッグ２０４は、膨らんだ状態において、膨らむ際の圧力によって、エアバッグ２０４に噛みついた犬の口を開けることができるような立体的な形状とされていることが好ましい。
【００４８】
ボンベ２０５とエアバッグ２０４とはキャップ部材２０６およびチューブ４０２を介して連結されている。この実施の形態においては、キャップ部材２０６およびチューブ４０２によって接続部材を実現することができる。ボンベ２０５は、ボンベ２０５の開口部分に設けられたネジ山を、キャップ部材２０６の内側に設けられたネジ山と螺合させることによってキャップ部材２０６に取り付けられている。この実施の形態においては、キャップ部材２０６によってボンベ保持部材を実現することができる。
【００４９】
キャップ部材２０６の内側には、開栓用針５０２が設けられている。開栓用針５０２は、ボンベ２０５をキャップ部材２０６に取り付けた場合にボンベ２０５の封板を突き破るように設けられている。
【００５０】
キャップ部材２０６の外側には、キャップ部材２０６（膨張部２０２）と被服部１１１とを繋ぐコード部材２０７が設けられている。コード部材２０７の一端は、被服部１１１に固定されている。具体的には、コード部材２０７の一端は、たとえば縫いつけたり、接着したりすることによって被服部１１１に固定されている。
【００５１】
コード部材２０７の他端には、ロック部材４０３が設けられている。コード部材２０７は、ロック部材４０３を介してキャップ部材２０６に連結されている。ロック部材４０３は、キャップ部材２０６に対して取り外し可能に取り付けられている。ロック部材４０３は、コード部材２０７に所定の引っ張り力が加わった場合に、コード部材２０７に引っ張られてキャップ部材２０６から脱離するように、キャップ部材２０６に取り付けられている。
【００５２】
キャップ部材２０６の内側において、開栓用針５０２は、支持部材５０１に設けられている。支持部材５０１は、キャップ部材２０６の内側において、封板を突き破るような位置に開栓用針５０２を位置付ける第１位置と、開栓用針５０２によって突き破った封板の孔を開放する第２の位置と、に変位可能とされている。支持部材５０１は、第１の位置に位置付けられている状態においては、開栓用針５０２を突き刺すことによって形成された封板における孔を介して、ボンベ２０５に充填された気体が外部に抜けてしまうことがないように孔の周囲を密閉する。
【００５３】
ロック部材４０３は、ロック部材４０３がキャップ部材２０６に取り付けられている状態において、支持部材５０１を第１の位置に位置付けるロック用ピン５０３を備えている。支持部材５０１は、ロック部材４０３がキャップ部材２０６に取り付けられている状態においてはロック用ピン５０３によって第１の位置に位置付けられ、ボンベ２０５からの気体の噴出を押さえている。また、支持部材５０１は、ロック部材４０３がキャップ部材２０６から脱離した状態において第２の位置に位置付けられ、ボンベ２０５内に充填された気体を噴出させる。
【００５４】
ボンベ２０５から噴出した気体は、チューブ４０２を介してエアバッグ２０４に充填される。エアバッグ２０４は、ボンベ２０５から噴出した気体が充填されることによって膨らみ、所定の形状を維持する。膨らんだ状態のエアバッグ２０４は、たとえば犬の口の大きさよりも十分に大きくなる形状に形成することにより、エアバッグ２０４が膨らむことによって、エアバッグ２０４に噛みついた犬の口を開ける効果が期待できる。
【００５５】
エアバッグ２０４は、エアバッグ２０４内に充填された気体を抜くための栓部材（図示を省略する）を備えていてもよい。この場合、栓部材は、エアバッグ２０４を密閉し、エアバッグ２０４内に充填された気体の漏れを防止するとともに、所定の操作がなされた場合にエアバッグ２０４内に充填された気体が抜けるような構成とすることが好ましい。具体的には、たとえばネジ山が設けられたキャップ部材２０６状の部材によって、栓部材を実現することが好ましい。また、具体的には、たとえば浮き輪やビーチボールなどに設けられている栓によって栓部材を実現することができる。
【００５６】
エアバッグ２０４内に充填された気体を抜くことにより、一旦膨らんだエアバッグ２０４を折りたたむなどして、体積を小さくすることができる。これにより、エアバッグ２０４を回収して持ち帰る際の煩わしさをなくすことができる。また、これにより、一旦使用したエアバッグ２０４を再利用することができる。
【００５７】
エアバッグ２０４は、膨らんだ後に所定の形状を維持するものに限らず、瞬間的に拡張するようにしてもよい。具体的には、たとえばエアバッグ２０４を開放可能に密閉する栓部材を設け、開栓されたボンベ２０５から充填される空気によってエアバッグ２０４内の圧力が所定の圧力に到達した場合に、当該圧力によって栓部材がエアバッグ２０４の内側から外側に押し出されるようにして抜けるように構成する。
【００５８】
このような構成とした場合、エアバッグ２０４は、犬に噛まれるなどして防護部１１２が被服部１１１から脱離した場合に瞬間的に広がり、その後しぼんで小さくなる。これにより、検針作業をおこなう作業者は、エアバッグ２０４内に充填された気体を抜く作業をおこなう必要がないので、膨らんだ後のエアバッグ２０４を回収する際の負担を軽減することができる。
【００５９】
（防護服１１０、１２０の活用例）
つぎに、この発明にかかる実施の形態の防護服１１０、１２０の活用例について説明する。この発明にかかる実施の形態の防護服１１０、１２０は、たとえば電力量計の検針作業に際して、噛みつくことが危惧される犬あるいは過去に噛みついた経緯がある犬などを飼育している顧客の敷地内に入る際に、検針作業をおこなう作業者が着用することによって活用する。防護服１１０、１２０は、着用の必要性を感じた場合に、それまでに着用していた衣服の上から重ねて着用することができる。
【００６０】
図７−１、図７−２、図７−３および図７−４は、この発明にかかる実施の形態の防護服１１０、１２０の活用例を示す説明図である。図７−１、図７−２、図７−３および図７−４において、防護服１１０、１２０を着用した状態で電力量計７０１の検針作業をおこなう場合、検針作業をおこなう作業者７１０は、検針をおこなっている間、近づいてくる犬７２０に対して防護部１１２が向けられるような姿勢を取ることが好ましい（図７−１を参照）。これにより、犬７２０が検針作業をおこなう作業者７１０に噛みついた場合（図７−２を参照）に、防護部１１２に噛みつかせ易くすることができる。
【００６１】
検針作業をおこなう作業者７１０は、犬７２０に噛まれた場合には、当該犬７２０から距離を置くことが好ましい。具体的には、噛まれた箇所および噛んだ犬７２０に対しては何ら行動をおこさずに、噛みついている犬７２０からできるだけ離れるように走って逃げることが好ましい。ブロック部材２０１は、面ファスナー２０３を介して被服部１１１に取り付けられているため、検針作業をおこなう作業者７１０が走って逃げる際に被服部１１１から脱離する。
【００６２】
これにより、検針作業をおこなう作業者７１０が検針作業中に犬７２０に噛まれた場合にも、犬７２０の口に防護部１１２を残し、無傷の状態で逃げることができる（図７−３を参照）。犬７２０の口に防護部１１２を残した状態で検針作業をおこなう作業者７１０が犬７２０から離れることにより、犬７２０を驚かせ、噛みついた犬７２０が、防護部１１２を離して検針作業をおこなう作業者７１０をさらに追いかけてくる可能性を抑えることができる。
【００６３】
ブロック部材２０１すなわち防護部１１２が被服部１１１から脱離する際には、脱離する防護部１１２における膨張部２０２と被服部１１１との間でコード部材２０７が引っ張られ、引っ張られることによってロック部材４０３がキャップ部材２０６から脱離する。これにより、キャップ部材２０６の内側においては支持部材５０１が第２の位置に位置付けられ、ボンベ２０５内に充填された気体を噴出させ、エアバッグ２０４が所定の形状に膨らむ（図７−４を参照）。
【００６４】
犬７２０などの動物は、くわえていた物体が突然大きくなることに驚くと考えられ、被服部１１１から脱離したエアバッグ２０４を所定の立体形状に膨らませて犬７２０を驚かせることによって、噛みついた犬７２０が、防護部１１２を離して検針作業をおこなう作業者７１０をさらに追いかけてくる可能性を一層確実に低くすることができる。
【００６５】
防護服１１０、１２０においては、防護部１１２が脱離して、エアバッグ２０４が膨らんだ場合には、新たなボンベ２０５がセットされた新たなエアバッグ２０４を取り付けることによって、同じ被服部１１１を繰り返して使用することができる。また、防護服１１０、１２０においては、エアバッグ２０４に開栓可能な栓部材を設けることによって、同じエアバッグ２０４を繰り返し利用することができる。これによって、被服部１１１やエアバッグ２０４の消費を抑え、エアバッグ２０４を消費することによって環境にかかる負荷を軽減することができる。
【００６６】
防護部１１２が脱離した被服部１１１を再利用する場合、キャップ部材２０６から脱離したロック部材４０３をキャップ部材２０６に付け直し、キャップ部材２０６と被服部１１１とを繋いでから、このキャップ部材２０６にボンベ２０５を取り付ける。その後、エアバッグ２０４およびブロック部材２０１を被服部１１１に固定する。これにより、作動回数にかかわらず、繰り返し、同じ効果を発揮させることができる。
【００６７】
上記の実施の形態においては、折りたたんだ状態のエアバッグ２０４を備えた防護部１１２を被服部１１１に取り付けた例について示したが、防護部１１２の形状はこれに限るものではない。図８は、この発明にかかる実施の形態の防護服が備える防護部の別の構成を示す説明図である。
【００６８】
図８において、防護部８００は、長尺形状をなすエアバッグ８１０を備えている。エアバッグ８１０は、柔軟性を有する発泡性の材料を用いて形成されている。柔軟性を有する発泡性の材料を用いてエアバッグ８１０を形成することによって、上記の実施の形態におけるブロック部材２０１と同様の機能をエアバッグ８１０によって実現することができる。このように、防護部８００を単一の部材によって構成することにより、被服部１１１に対する防護部８００の取り付け作業を容易化することができる。
【００６９】
以上説明したように、この実施の形態の防護服１１０、１２０は、被服者の上半身および下半身の少なくとも一方を覆う被服部１１１と、発泡材料を用いて形成され、所定の引っ張り力が加わった場合に被服部１１１から脱離するように、被服部１１１に取り外し可能に取り付けられる防護部１１２と、を備えたことを特徴としている。
【００７０】
この実施の形態の防護服１１０、１２０によれば、電力量の検針作業に際して、検針作業をおこなう作業者７１０が防護服１１０、１２０を着用することにより、当該作業者７１０が犬７２０に噛まれた場合に、犬７２０の口に防護部１１２を残した状態で、当該犬７２０から離れることができる。これによって、検針作業をおこなう作業者７１０が犬７２０に噛まれることを回避できるので、検針作業に際しての作業者７１０の安全性を確保することができる。
【００７１】
また、この実施の形態の防護服１１０、１２０によれば、検針作業をおこなう作業者７１０が犬７２０に噛まれることを回避するための検針予定日時の調整を不要とし、作業者７１０の都合で電力量の検針作業をおこなうことができる。これにより、検針作業をおこなう作業者７１０が犬７２０に噛まれることを回避するために電力量の検針作業が滞ることを防止でき、犬７２０の飼育の有無などの作業場所にかかわらず当該作業を滞りなくおこなうことができる。
【００７２】
また、この実施の形態の防護服１１０、１２０は、検針作業をおこなう作業者７１０が犬７２０に噛まれるなどして防護部１１２が被服部１１１から脱離した場合には、高圧気体が充填されたカートリッジ式のボンベ２０５からエアバッグ２０４へ気体が流入し、エアバッグ２０４が膨らむ構成とされていることを特徴としている。
【００７３】
この実施の形態の防護服１１０、１２０によれば、検針作業をおこなう作業者７１０が犬７２０に噛まれた場合には、犬７２０の口に防護部１１２を残した状態で当該犬７２０から離れることによって、犬７２０の口元あるいは犬７２０のすぐ近くでエアバッグ２０４を膨らませることができる。これによって、作業者７１０を噛んだ犬７２０の関心を防護部１１２に引き付け、当該犬７２０の作業者７１０に対する関心を逸らすことができる。
【００７４】
また、この実施の形態の防護服１１０、１２０によれば、作業者７１０を噛んだ犬７２０の関心を作業者７１０から逸らすことによって、作業者７１０を噛んだ犬７２０が作業者７１０を追いかけてくることを抑制する、あるいは遅らせることができる。これによって、作業者７１０は犬７２０に対する体制を整えたり、安全な場所まで逃げたりすることができるので、検針作業に際しての作業者７１０の安全性を確保することができる。
【００７５】
キャップ部材２０６の構造は、上記の構造に限るものではない。たとえばバネなどを用いて、ロック部材４０３がキャップ部材２０６から脱離した場合にボンベ２０５の封板を開栓用針５０２が突き破るように構成してもよい。これにより、エアバッグ２０４を膨らませる瞬間に、ボンベ２０５から気体を放出させることができるので、保管時に気体が漏れてなくなってしまうことを防止できる。
【００７６】
上記の実施の形態においては、検針作業をおこなう作業者７１０の上半身および下半身をそれぞれ別個に被服する防護服１１０、１２０としたが、防護服１１０、１２０の形態はこれに限るものではない。具体的には、たとえばツナギのように上半身部分と下半身部分とがつながった、上下一体に設けられた形状であってもよい。
【産業上の利用可能性】
【００７７】
以上のように、本発明にかかる防護服は、生体によって加えられる外的要因による怪我の防止に有用であり、特に、犬がいる敷地内に立ち入って作業をおこなう作業者の作業支援に適している。
【符号の説明】
【００７８】
１１０、１２０  防護服
１１１  被服部
１１２  防護部
２０１  ブロック部材
２０４  エアバッグ
２０５  ボンベ
２０６  キャップ部材
２０７  コード部材
４０２  チューブ
４０３  ロック部材
８００  防護部
【図１−１】
2010196218.tif 000003
【図１−２】
2010196218.tif 000004
【図２】
2010196218.tif 000005
【図３】
2010196218.tif 000006
【図４】
2010196218.tif 000007
【図５−１】
2010196218.tif 000008
【図５−２】
2010196218.tif 000009
【図６】
2010196218.tif 000010
【図７−１】
2010196218.tif 000011
【図７−２】
2010196218.tif 000012
【図７−３】
2010196218.tif 000013
【図７−４】
2010196218.tif 000014
【図８】
2010196218.tif 000015